(57)【要約】【課題】身体の手首、腕回り、足首、足回り、首回り等にネックレス又はブレスレット状に取着でき、而も身体の装着部位の血行促進等を図れる互いに磁気反発して永久磁石が取着されている永久磁石リングを提供する。【解決手段】リング２に永久磁石３ａ，３ｂ，３ｃ，３ｄ，３ｅ…を配列する。これら各永久磁石は隣り合っている永久磁石間で磁気反発して間隔を保ってリング２上に配列されている。【選択図】      図２
2004166895.tif 000002
【特許請求の範囲】
【請求項１】
リング２に複数の永久磁石３ａ，３ｂ，３ｃ，３ｄ，３ｅ…を配設して成る永久磁石リング１に於いて、上記永久磁石３ａ，３ｂ，３ｃ，３ｄ，３ｅ…の各々に通し穴５が形成され、その通し穴５に上記リング２が通されていることにより上記永久磁石３ａ，３ｂ，３ｃ，３ｄ，３ｅ…の各々はリング２に対して移動可能に取着されて成り、而も互いに隣り合う永久磁石間では互いに磁気反発してリング２上で間隔を置いて位置しているように、互いに隣り合う永久磁石の対向する磁極ＡとＢが相互に同極となるようにしてリング２に取着されていることを特徴とする永久磁石リング。
【請求項２】
上記各永久磁石３ａ，３ｂ，３ｃ，３ｄ，３ｅ…の各磁極の強さを等しくすることにより、隣り合う永久磁石間に作用する磁気反発力を各隣り合う永久磁石間で等しくし、リング２上に於ける各永久磁石間の間隔Ｌが等しく保たれていることを特徴とする請求項１記載の永久磁石リング。
【請求項３】
上記リング２は弾復元性に富む材料により形成されていると共に、一ヶ所で分断され、分断した一方と他方の端部に上記永久磁石３ａ，３ｂ，３ｃ，３ｄ，３ｅ…の抜け止めを図る装飾体４ａ，４ｂが取着され、リング２を拡径又は縮径可能に構成されていることを特徴とする請求項１記載の永久磁石リング。
【発明の詳細な説明】
【０００１】
【発明の属する技術分野】
本発明は永久磁石リングに係わり、更に詳しくは身体の手首、足首、首回り、腕回り、足回り等に装着して磁気作用により血行を促進させる等する永久磁石リングの改良に関するものである。
【０００２】
【従来の技術】
周知の通りリングに永久磁石を取着し、それを身体の手首、足首、首回り等に装着し、磁気作用により血行を促進する等の効果を期待しているネックレス又はブレスレット等の身飾品としての永久磁石リングが多々実用され、発明、考案としても提案されている。
【０００３】
その内の１つの従来例は、実用新案登録番号第３０３３６４３号である。即ち、湾曲し、その両端が対向している弾性のあるリングと、そのリングに固定された４個の磁石よりなり、上記リングを人体の首回りに取付けたとき、上記のうち２個の磁石を頚動脈に押接するように固定配置し、残りの２個の磁石を首筋の中央部から両側に向かって所定距離だけ離れた位置に押接するように固定配置し、上記リングの両端部を連結手段により連結し、その連結手段により上記リングの大きさを調節可能にした磁気利用健康具である。
【０００４】
もう１つの従来例は、実用新案登録番号第３０２１２２５号である。即ち、人体の首、手首等に装着する装身具基体を多数の連結部材で連鎖状に連結させたネックレス又はブレスレット等の装身具において、シリコーン等の液化樹脂と麦飯石、蛇紋岩、角閃石、褐廉石、沸石、蛍石、フェルソング石等の多種類の鉱石を粉砕した微粉末鉱石とスギゴケ、ゼニゴケ等のコケ類植物を乾燥させ粉末状とした微粉末植物とを混和させて被覆用主剤とし、該被覆用主剤で永久磁石を被抱させた後に加熱処理して多数のチップ状の基剤を形成し、該基剤を前記装身具基体の人体接触面に形成された凹陥部へ埋設させたことを特徴とする健康装身具である。
【０００５】
上記従来技術の場合リングに対し永久磁石が固定されている。実用新案登録第３０３３６４３号の場合は、リングに対して容器を固定し、その容器中に永久磁石を配設している。もう１つの実用新案登録第３０２１２２５号の場合は、基体に永久磁石を埋設し、その基体をリング状に連結している。
【０００６】
【発明が解決しようとする課題】
上記従来技術の場合、永久磁石をリング上に又はリング状の配列位置に固定する為に容器や基体を設け、それらに永久磁石を埋込等するので製造コストが高くなる。又容器や基体を必要とし、それらが一定の大きさを有するのでリング一周あたりに取り付けることのできる永久磁石の数が少なくなり易い。従って永久磁石による磁力線の身体各部への作用も少なくなり勝となる。
【０００７】
【目的】
従って本発明の目的とするところは、リングを永久磁石の通し穴に通すだけで永久磁石の配置を保ってリング上に配列できるようにすることによりより一層低コスト化を可能にする永久磁石リングを提供すると共に、リングに対して直接永久磁石を取着することによりリング一周あたり可及的に多数の永久磁石を取り付けることができ、身体各部へ作用する磁力線の密度が濃い永久磁石リングを提供するにある。
【０００８】
とりわけ、リング上に多数配設される永久磁石の個々のリング上に沿った移動が自由であることにより、身体各部への装着性が良好であると共に、永久磁石のリング上に沿った移動が自由でありながら、隣り合う永久磁石間で磁気反発させて間隔をあけ、その間隔が適度に保たれてリング全体で永久磁石がバランスよく配列される永久磁石リングを提供するにある。
【０００９】
【課題を解決する為の手段】
上記目的を達成する為に本発明は次の技術的手段を有する。即ち実施例に対応する添付図面中の符号を用いてこれを説明すると、本発明は、リング２に複数の永久磁石３ａ，３ｂ，３ｃ，３ｄ，３ｅ…を配設して成る永久磁石リング１に於いて、上記永久磁石３ａ，３ｂ，３ｃ，３ｄ，３ｅ…の各々に通し穴５が形成され、その通し穴５に上記リング２が通されていることにより上記永久磁石３ａ，３ｂ，３ｃ，３ｄ，３ｅ…の各々はリング２に対して移動可能に取着されて成り、而も互いに隣り合う永久磁石間では互いに磁気反発してリング２上で間隔を置いて位置しているように、互いに隣り合う永久磁石の対向する磁極ＡとＢが相互に同極となるようにしてリング２に取着されていることを特徴とする永久磁石リングである。
【００１０】
又他の特徴とするところは、上記各永久磁石３ａ，３ｂ，３ｃ，３ｄ，３ｅ…の各磁極の強さを等しくすることにより、隣り合う永久磁石間に作用する磁気反発力を各隣り合う永久磁石間で等しくし、リング２上に於ける各永久磁石間の間隔Ｌが等しく保たれている永久磁石リングでもある。
【００１１】
更に、上記リング２は弾復元性に富む材料により形成されていると共に、一ヶ所で分断され、分断した一方と他方の端部に上記永久磁石３ａ，３ｂ，３ｃ，３ｄ，３ｅ…の抜け止めを図る装飾体４ａ，４ｂが取着され、リング２を拡径又は縮径可能に構成されていることをも特徴とする。
【００１２】
【作用】
上記構成より成るもので、手首、足首、首回り、腕回り、足回りに装着すると、隣り合う永久磁石３ａ，３ｂ，３ｃ，３ｄ，３ｅ…間の間隔を適度に又は等しくした態様で永久磁石がリング状に身体の外側部位に配列される。従って多数の永久磁石の異極間に磁力線が通り、その磁力線が身体の各部に作用し血行を促進等する。
【００１３】
【発明の実施の形態】
次に添付図面に従い発明の好ましい実施の形態を説明する。
先ず図１、図２に従い説明すると、符号１は永久磁石リング全体を示し、これはリング２と、リング２に取着されている多数の永久磁石３ａ，３ｂ，３ｃ，３ｄ，３ｅ…より成る。このリング２は弾復元性を備えていると共に１ヶ所で分断されていて、分断された一端と他端に各々端部飾り４ａ，４ｂが形成され、リング２に取着されている永久磁石３ａ，３ｂ，３ｃ，３ｄ，３ｅ…のリング２からの抜けを防止している。このようにリング２が弾復元性を備えていることと１ヶ所で分断されていることにより、リング２はその径を拡大することもできるし、その径を縮小することもできる。勿論リング２は分断されずに環状になっていてもよい。
そしてリング２の当初からの大きさは、手首、腕回り、足首、足回り、首回り等適用する部位に応じた種々の大きさのものに定められている。
【００１４】
上記永久磁石３ａ，３ｂ，３ｃ，３ｄ，３ｅ…の各々は、この図示の例では円筒形のものとして示してあると共に、皆同じ形状に定められている。この他に角筒形、球に近い形、飾りとなるような形状、種々様々な形状を用途に応じて形成してもよいし、各々の形状を互いに変えてもよい。
さて、これらの永久磁石３ａ，３ｂ，３ｃ，３ｄ，３ｅ…の各々には通し穴５が形成され、その通し穴５にリング２が通されていることにより、各永久磁石はリング２上を自由に移動できるようになっている。
【００１５】
ところで、これらの複数の永久磁石３ａ，３ｂ，３ｃ，３ｄ，３ｅ…は、隣り合う永久磁石間では互いに磁気反発してリング２上で間隔Ｌを置いて位置しているように、互いに隣り合う永久磁石の対向する磁極ＡとＢが相互に同極となるようにして、リング２に取着されている。
図示の例では、永久磁石３ａ，３ｂ，３ｃ，３ｄ，３ｅ…の内、永久磁石３ｂ，３ｃ，３ｄに着目してこれを説明すると、永久磁石３ｃの一方の磁極ＡはＮ極に、他方の磁極ＢはＳ極に形成されている。
従って、これに隣り合う永久磁石３ｂの他方の磁極ＢはＮ極に形成され、一方の磁極ＡはＳ極に形成されている。そして、もう１つの隣り合う永久磁石３ｄの一方の磁極ＡはＳ極に、他方の磁極ＢはＮ極に形成されている。
従って、１つの永久磁石３ｃと、それに対して図示の例で左に隣り合うもう１つの永久磁石３ｂとの関係では互いに対向する磁極ＡとＢとが同じＮ極に形成され、互いに磁気反発Ｑしてリング２上を移動し、一定の間隔Ｌを存して離れてリング２に配列されている。同じように１つの永久磁石３ｃと、それに対して図示の例で右に隣り合うもう他方の永久磁石３ｄとの関係では互いに対向する磁極ＢとＡとが同じＳ極に形成され、互いに磁気反発Ｑしてリング２上を移動し、一定の間隔Ｌを存して離れてリング２に配列されている。
他の永久磁石３ａを中心としても、又は３ｅを中心としても同じ配列に定められている。
【００１６】
そして、この図示の例では各永久磁石３ａ，３ｂ，３ｃ，３ｄ，３ｅ…は皆同じ大きさ、且つ各磁極の強さも同じに定めてあるので、各永久磁石に外力を強制させない限り、各永久磁石間の間隔Ｌはどこをみても同じとなる。勿論各永久磁石の磁極の強さを互いに異ならしめて各永久磁石間の磁気反発Ｑによる間隔を不揃いのものにしてもよい。
【００１７】
更に図５に示すようにリング２に所々、装飾体６を取着してもよい。
【００１８】
上記構成に基くと、この永久磁石リング１を身体の手首、腕回り、足首、足回り、首回り等の装着部位Ｈに、ネックレス又はブレスレット等として装着した場合、図２に示すように各永久磁石３ａ，３ｂ，３ｃ，３ｄ，３ｅ…間の異極Ｎ，Ｓ間に磁力線Ｔが通るので、身体の装着部位Ｈにそれが作用し、その部位及び周辺の血行促進等が図られるものである。
【００１９】
そして装着時等に、図３の上段の図に示すように仮に各永久磁石３ａ，３ｂ，３ｃ，３ｄ，３ｅ…を部分的に押し、互いに強制的に接近させようとする力Ｐが加わったとしても、手首等に装着後は、同じ図３の下段の図に示すように各永久磁石３ａ，３ｂ，３ｃ，３ｄ，３ｅ…は互いに磁気反発Ｑして一定間隔Ｌを存してリング２上で配列する。この為装着部位Ｈ上に於いて、その回りに全体がバランスよく配列し、身体の装着部位Ｈに対する磁気作用が各部等しくなり易い。
【００２０】
又、この永久磁石リング２は弾復元性の材料より成るので、適用する身体の部位、適用する人の身体的特徴に合わせて径を拡大したり、図４のように径を縮少したりすることができる。このような径の拡大、縮小の変化の場合でも各永久磁石３ａ，３ｂ，３ｃ，３ｄ，３ｅ…は互いの間隔Ｌを適宜とって、リング一周上にバランスよく配列される。
【００２１】
【効果】
以上詳述した如く本願の請求項１記載の発明によれば、リングを永久磁石の通し穴に通すだけで永久磁石の配置を保ってリング上に配列できるようにすることによりより一層低コスト化を可能にする永久磁石リングを提供できると共に、リングに対して直接永久磁石を取着することによりリング一周あたり可及的に多数の永久磁石を取り付けることができ、身体各部へ作用する磁力線の密度が濃い永久磁石リングを提供できる。
【００２２】
特に、リング上に多数配設される永久磁石の個々のリング上に沿った移動が自由であることにより、身体各部への装着性が良好であると共に、永久磁石のリング上に沿った移動が自由でありながら、隣り合う永久磁石間で磁気反発し、それらの間隔が適度に保たれリング全体で永久磁石がバランスよく配列される永久磁石リングを提供できる。
【００２３】
又請求項２記載の発明によれば上記利点に加えて各永久磁石間の磁気反発による間隔がどこでも等しくなる永久磁石リングを提供でき、又請求項３記載の発明によると身体の装着部位に応じて、適用する人の身体的特徴に応じて自由にリングを拡径、縮径でき、その状態でもリング上の永久磁石間の配列が全体的にバランスよく保たれる永久磁石リングを提供できる。
【図面の簡単な説明】
【図１】本発明の第一の実施形態の永久磁石リングの平面図。
【図２】図１の永久磁石リングの部分断面図。
【図３】図１の永久磁石リングの永久磁石同志の磁気反発動作を示す部分断面図。
【図４】図１の永久磁石リングのリングの大きさの拡大、縮小態様を示す為の平面図。
【図５】本発明の第二の実施形態の永久磁石リングの平面図。
【符号の説明】
１      永久磁石リング
２      弾性部材より成るリング
３ａ，３ｂ，３ｃ，３ｄ，３ｅ…    永久磁石
４ａ，４ｂ    端部飾り
５      通し穴
６      装飾体
Ａ，Ｂ    永久磁石の一方、他方の磁極
Ｑ      永久磁石同志の磁気反発を示す矢示
Ｐ      永久磁石同志を強制的に接近させようとする点を示した矢示
Ｎ，Ｓ    永久磁石の磁極の極性
Ｔ      磁力線
Ｈ      人体の腕、首、足首等永久磁石リングの装着部位
Ｌ      隣接する永久磁石間の磁気反発力によって保持される間隔
【図１】
2004166895.tif 000003
【図２】
2004166895.tif 000004
【図３】
2004166895.tif 000005
【図４】
2004166895.tif 000006
【図５】
2004166895.tif 000007